(57)【要約】【課題】トレイを引き出してから同時に引き出された搬送路を退避操作するといった煩わしい操作を不要とし、操作性のよい紙葉類処理装置を提供する。【解決手段】紙幣処理装置１に、紙幣の受け渡しを行う接客機構部４０と、紙幣の計数を行う紙幣計数部１０と、紙幣を収納するスタッカ２０と、これらを接続して前記紙幣を搬送する搬送路１０ａ〜１０ｇとを備え、前記搬送路１０ａ〜１０ｇに接続して紙幣の受け渡しを行うガイド２１，２２を前記スタッカ２０に備え、前記スタッカ２０の少なくとも前記ガイド２１，２２を前記搬送路１０ａ〜１０ｇから離間する方向に分離するまで移動させる退避機構Ｇを備えた。【選択図】図３
2010250572.tif 000002
【特許請求の範囲】
【請求項１】
紙葉類の受け渡しを行う受渡部と、
紙葉類の計数を行う計数処理部と、
紙葉類を収納する収納庫と、
これらを接続して前記紙葉類を搬送する搬送路とを備え、
前記搬送路に接続して紙葉類の受け渡しを行う収納接続部を前記収納庫に備え、
前記収納庫の少なくとも前記収納接続部を前記搬送路から離間する方向に分離するまで移動させる分離手段を備えた
紙葉類処理装置。
【請求項２】
前記収納庫を前記分離手段による移動方向と交差する方向へ引き出す引出手段を備え、
前記収納庫を複数備え、
前記分離手段は、前記引出手段に備えられて前記複数の収納庫を一括して分離する構成である
請求項１記載の紙葉類処理装置。
【請求項３】
前記収納庫を前記分離手段による移動方向と交差する方向へ引き出す引出手段を備え、
前記収納庫を複数備え、
前記分離手段を、前記複数の収納庫にそれぞれ備えて同時又は非同時に前記各収納庫を分離する構成にした
請求項１記載の紙葉類処理装置。
【請求項４】
前記搬送路側と前記収納庫側の各対向部位に、前記分離手段による移動をガイドするガイド部を備え、
前記収納接続部は、櫛歯形状に突出する突起により形成され、
前記搬送路は、前記収納接続部の櫛歯形状に噛合う櫛歯形状の突起による搬送接続部を備え、
前記両ガイド部のクリアランスを、前記収納接続部と前記搬送接続部の噛合いのクリアランスよりも小さく形成した
請求項１、２または３記載の紙葉類処理装置。
【請求項５】
前記収納接続部を前記収納庫の上部に備え、該収納接続部の上方に前記搬送路を備え、
前記分離手段は、前記収納庫を下方へ移動させて収納接続部を分離する構成である
請求項１から４のいずれか１つに記載の紙葉類処理装置。
【請求項６】
前記収納接続部は、前記紙葉類が双方向に搬送される構成である
請求項１から５のいずれか１つに記載の紙葉類処理装置。
【発明の詳細な説明】
【技術分野】
【０００１】
この発明は、例えば紙幣などの紙葉類を処理するような紙葉類処理装置に関し、特に金融機関の窓口業務に使用される紙葉類処理装置に関する。
【背景技術】
【０００２】
従来、紙幣の入金取引や出金取引を行うＡＴＭやＣＤなどの現金自動取引装置は、金融機関やコンビニエンスストア等の店舗に設置されている。例えば金融機関などで使用される現金自動取引装置に実装される紙幣処理装置は、利用者に出金紙幣を放出し、もしくは投入された入金紙幣を一枚ずつ繰出すための紙幣入出金口と、入金もしくは出金紙幣を判別する紙幣判別部と、入金した紙幣を一旦収納する一時保留部と、さらに入金紙幣を収納・保管し、出金紙幣等として繰出すためのスタッカと前記各部分を接続する紙幣搬送路を有している。
【０００３】
上記の構成を有する紙幣処理装置は、近年、多金種化・大容量化が進んでいる。このため、複数のスタッカが装置下部のスタッカ収納部に並べて配置され、紙幣の計数・識別する機能を持つ計数処理部分と接客機構部が装置上部に集めて配置された紙幣入出金機が提案されている（特許文献１参照）。
【０００４】
このような紙幣入出金機は、保守や紙幣の再装填のため、紙幣を収納したスタッカが装置から頻繁に着脱される。そして、上記構成を有する紙幣入出金機は、スタッカ収納部のみが装置より引き出され、容易にスタッカを着脱できることが望まれている。
【先行技術文献】
【特許文献】
【０００５】
【特許文献１】特開２０００−１７２９０３号公報
【発明の概要】
【発明が解決しようとする課題】
【０００６】
ここで、計数処理部とスタッカ間で、紙幣等の紙葉類を座屈滞留することなく受け渡しするには、紙葉類搬送路に搬送ガイドを設ける必要がある。特に紙葉類が搬送路を双方向に行き交う構成の場合、計数処理部とスタッカに櫛歯形状のガイドを設け、互いのガイドが入れ子となる位置に設置する必要がある。
【０００７】
このような形態をとる装置は、計数処理部のガイドとスタッカのガイドが互いに相手の構成内部に侵入しているため、計数処理部とスタッカの間で紙葉類を受け渡しする方向と直交する方向へスタッカをずらすことができない。
【０００８】
例えば、上述した紙幣入出金機は、先行技術文献１の図２９に示されるように、スタッカ上部に搬送路部が設置されている。そして、図示されていないが、計数処理部との紙葉類の受け渡し口をスタッカ上部搬送路部１つに集約し、上部搬送路部と計数処理部との受け渡し部で互いのガイドを退避する機構が設けられている。
【０００９】
しかしこのような紙幣入出金機は、先行技術文献１の図２９に示されるように、トレイを引き出すと同時にスタッカ上部搬送路部も引き出される。スタッカを装置から着脱するには、さらに上部搬送路部をスタッカ上部から退避する操作が必要となり、操作性が悪いなどの問題があった。
【００１０】
この発明は、上述の問題に鑑み、トレイを引き出してから同時に引き出された搬送路を退避操作するといった煩わしい操作を不要とし、操作性のよい紙葉類処理装置を提供することを目的とする。
【課題を解決するための手段】
【００１１】
この発明は、紙葉類の受け渡しを行う受渡部と、紙葉類の計数を行う計数処理部と、紙葉類を収納する収納庫と、これらを接続して前記紙葉類を搬送する搬送路とを備え、前記搬送路に接続して紙葉類の受け渡しを行う収納接続部を前記収納庫に備え、前記収納庫の少なくとも前記収納接続部を前記搬送路から離間する方向に分離するまで移動させる分離手段を備えた紙葉類処理装置であることを特徴とする。  
前記紙葉類とは、紙幣、カード、紙、または印刷された紙など、適宜の紙葉類とすることができる。
【発明の効果】
【００１２】
この発明により、トレイを引き出してから同時に引き出された搬送路を退避操作するといった煩わしい操作を不要とし、操作性のよい紙葉類処理装置を提供することができる。
【図面の簡単な説明】
【００１３】
【図１】紙幣処理装置を搭載した現金自動取引装置の外観斜視図。
【図２】紙幣処理装置の構成を示す側面から見た説明図。
【図３】ガイドの退避機構を説明する説明図。
【図４】紙幣計数部とスタッカのガイド構成を側面視により説明する説明図。
【図５】紙幣計数部とスタッカのガイド構成を背面視により説明する説明図。
【図６】トレイの引き出しを側面図により説明する説明図。
【図７】実施例２のガイドの退避機構を説明する説明図。
【図８】実施例３のガイドの退避機構を説明する説明図。
【発明を実施するための形態】
【００１４】
この発明の一実施形態を以下図面と共に説明する。  
【実施例１】
【００１５】
図１は、紙葉類処理装置としての紙幣処理装置１を搭載した現金自動取引装置１０１の外観を背面側からみた斜視図である。この現金自動取引装置１０１は、カード、紙幣、明細票を媒体とし、利用者の預け入れ、支払い、振り込みなどの処理を行うものである。
【００１６】
現金自動取引装置１０１の上部には、利用者のカードを処理し、取引明細票を印字して放出するカード・明細票処理機構１０３を備え、装置正面前方に取引の内容を表示および入力する顧客操作部１０４を備えている。
【００１７】
現金自動取引装置１０１の下部左には、本発明を適用した紙幣を処理する紙幣処理装置１を備えている。この紙幣処理装置１は、上部に紙幣計数部１０を備え、下部にトレイ３０（引出手段）を備えている。該トレイ３０には、開口部Ｈ（Ｈａ〜Ｈｅ）を上面に有する複数の収納庫としてのスタッカ２０（２０ａ〜２０ｅ）を、トレイ３０の引出方向である前後方向に一列に整列配置した状態で収納している。各スタッカ２０は、トレイ３０から個別に上下方向へ着脱可能に独立して構成されている。また、現金自動取引装置１０１下部の紙幣処理装置１の右側には、硬貨処理装置１０５を備えている。なお、現金自動取引装置１０１は、この硬貨処理装置１０５を備えない構成としてもよい。
【００１８】
現金自動取引装置１０１の背面には、扉１０２が備えられている。この扉１０２を開くと、紙幣処理装置１のトレイ３０をレール１１０により引き出だすことができ、引き出した状態でスタッカ２０を着脱可能としている。レール１１０は、トレイ３０と、紙幣処理装置１もしくは現金自動取引装置１０１に備えられている。
【００１９】
紙幣計数部１０とトレイ３０は、それぞれ独立して現金自動取引装置１０１にレール１１０を介して取付けられている。  
なお、トレイ３０を引き出すレール１１０は、紙幣計数部１０に取付けられ、トレイ３０は紙幣計数部１０を介して現金自動取引装置１０１に取付けられても良い。
【００２０】
現金自動取引装置１０１は、他にも、構成部分に電力を供給する電源部や、各機構がＵＳＢ等の回線によって接続される本体制御部も備えるが、本発明の特徴には直接関係がないので詳細な説明は省略する。
【００２１】
図２は、本発明を適用した紙幣処理装置１の構成を示す側面から見た説明図である。紙幣処理装置１の上部は、顧客または操作員に紙幣の受け渡しを行う紙幣紙幣入出口部４１を備える受渡部としての接客機構部４０と、紙幣の計数識別を行う識別部４２と、計数識別された後の紙幣が一時的に蓄えられる一時保留部４３とを備える計数処理部としての紙幣計数部１０により構成される。
【００２２】
紙幣処理装置１の下部は、紙幣を金種別に収納し出金する紙幣を繰出すための複数台のスタッカ２０（２０ａ〜２０ｅ）がトレイ３０に搭載されて構成されている。
【００２３】
これらの機構部（４０，４２，４３，２０ａ〜２０ｅ）は、それぞれ、紙幣の授受を行う為の搬送路１０ａ〜１０ｇおよび搬送路４０ａ〜４０ｂにより接続されている。これらの搬送路１０ａ〜１０ｇおよび搬送路４０ａ〜４０ｂは、紙幣を双方向に搬送する双方向搬送路である。
【００２４】
スタッカ２０の底面と、トレイ３０の底上面の間には、スタッカ２０が下降（紙幣計数部１０から離間する方向へ移動）するための空間Ｂが設けられている。
【００２５】
このように構成された紙幣処理装置１は、入金取引、および出金取引といった処理を実行する。  
入金取引を実行する紙幣処理装置１は、紙幣入出口部４１に投入された紙幣を、接客機構部４０で１枚毎に分離繰出し、搬送路４０ａにより搬送し、搬送路１０ｆを通過させる際に識別部４２により計数識別する。その後、紙幣処理装置１は、紙幣を搬送路１０ｇにより搬送して一時保留部４３に収納する。投入された紙幣を全て一時保留部４３に収納し取引金額が確定した後、紙幣処理装置１は、紙幣を一時保留部４３から１枚毎に分離繰出しする。紙幣処理装置１は、紙幣を搬送路１０ｇにより搬送して搬送路１０ｆを通過させる際に再度識別部４２により計数識別し、搬送路１０ｅに到達させる。さらに、紙幣処理装置１は、搬送路１０ａ，１０ｂ，１０ｃ，１０ｄにより、装置より指示されたスタッカ２０へ紙幣を収納し、入金取引を終了する。
【００２６】
出金取引を実行する紙幣処理装置１は、装置より指示されたスタッカ２０から紙幣を１枚毎に分離繰出しする。紙幣処理装置１は、紙幣を搬送路１０ｅにより搬送して搬送路１０ｆを通過させ識別部４２にて識別計数する。次に紙幣処理装置１は、紙幣を搬送路４０ｂにより搬送して接客機構部４０の紙幣入出口部４１に到達させ、顧客へ提供して出金取引を終了する。
【００２７】
なお、スタッカ２０ａから２０ｅのうちいずれかを、出金に供しない紙幣を収納するリジェクト庫に置き換えても良い。
【００２８】
図３は、紙幣計数部１０とスタッカ２０の搬送路を接続するガイドの退避機構Ｇ（分離手段）を説明する説明図である。図３（Ａ）は、スタッカ２０を上昇位置に保持してガイドが接続されている接続状態を示し、図３（Ｂ）は、スタッカ２０を下降位置に保持してガイドが離間した退避状態を示す。
【００２９】
図３（Ａ）に示すように、トレイ３０の下部には、昇降台３１が設けられている。この昇降台３１は、トレイ３０の底板の大きさよりも少し小さいサイズの板状に形成されている。この昇降台３１の上に、スタッカ２０ａから２０ｅが紙幣処理装置１の正面（前方）から背面（後方）へ向けて一列に並列配置されて搭載されている。
【００３０】
昇降台３１の前方側には、軸３３ａが設けられ、この軸３３ａを介して上下方向へ長いレバー３２ａが設けられている。このレバー３２ａは、図示では２つの板状体により一体的に形成しているが、１つの板状体により形成してもよい。
【００３１】
昇降台３１の後方側には、軸３３ｂが設けられ、この軸３３ｂを介して上下方向へ長いレバー３２ｂが設けられている。このレバー３２ｂは、図示では２つの板状体により一体的に形成しているが、１つの板状体により形成してもよい。
【００３２】
レバー３２ａ，３２ｂは、軸３３ａ，３３ｂを中心として上下方向に同程度の長さに形成されており、軸３３ａ，３３ｂよりも下方の長さがスタッカ２０を下方へ退避移動させたい退避移動距離よりも長く形成されている。
【００３３】
レバー３２ａとレバー３２ｂの各上部には、それぞれ軸３５ａと軸３５ｂを介して前後に長い棒状のリンク３４が備えられている。
【００３４】
このリンク３４に対して、レバー３２ａは軸３３ａを中心に、レバー３２ｂは軸３３ｂを中心にいずれも回転することができる。
【００３５】
前方に設けられたレバー３２ａの上部は、扇状のギヤ３６が設けられている。  
昇降台３１は、ギヤ３６に駆動を与える動力部５０を備えている。該動力部５０は、図示されないモータによりギヤ５１に回転駆動を与える。このギヤ５１の回転駆動は、ギヤ５２、ギヤ５３、ギヤ５４、ギヤ５５を介し減速されて、レバー３２ａのギヤ３６に伝えられる。
【００３６】
このようにしてギヤ５１からギヤ３６に伝達された駆動により、レバー３２ａは、軸３３ａを中心に回転する。  
このときレバー３２ｂは、リンク３４によりレバー３２ａの駆動が伝達され、レバー３２ａと同期して軸３３ｂを中心に回転する。  
この回転により、昇降台３１が昇降し、該昇降台３１に載置されたスタッカ２０も昇降する。なお、スタッカ２０がトレイ３０の即壁面に接触する構成とする、スタッカ２０か昇降台３１とトレイ３０に昇降動作を安定化させるガイドを設けるなど、スタッカ２０が安定して一直線に昇降するように構成することが好ましい。
【００３７】
トレイ３０は、レバー３２ａ，３２ｂの回転量を規制するストッパ３９が設けられている。このストッパ３９は、昇降台３１が上昇した位置でレバー３２ａ，３２ｂの回転を停止するべく、レバー３２ａ，３２ｂの下端部が軸３３ａ，３３ｂの略直下に位置した時点で回転規制する。なお、ストッパ３９は、前後のいずれか一方のみとする、あるいは備えない構成にしてもよい。
【００３８】
また、動力部５０は、ギヤ５３を回転させるツマミ５６を備えており、このツマミ５６を手動で回転させることで、扇状のギヤ３６に回転駆動を与えることができる。従って、動力部５０のモータへ電力が供給されない場合でも手動により昇降台３１を上下動作させることができる。
【００３９】
このように構成された床面３０ｂ、昇降台３１、レバー３２ａ，３２ｂ、軸３３ａ，３３ｂ、リンク３４、軸３５ａ，３５ｂ、ストッパ３９、動力部５０、ギヤ５１，５２，５３，５４，５５，３６、およびツマミ５６により退避機構Ｇが構成されている。
【００４０】
図４は、紙幣計数部１０とスタッカ２０との接続部のガイド構成を側面視により説明する説明図である。なお、図示ではスタッカ２０ｃの例で説明している。  
図５は、紙幣計数部１０とスタッカ２０との接続部のガイド構成を搬送路から背面視した図により説明する説明図である。
【００４１】
図４（Ａ）に示すように、搬送路１０ｂ，１０ｃには、紙幣を搬送する搬送ローラ１６と、該搬送ローラ１６等に従動する従動ローラが設けられている。この搬送路１０ｂ，１０ｃには、紙幣を該搬送路１０ｂ，１０ｃで搬送するか、スタッカ２０ｃへ搬送するかを振り分ける振分けフラッパ１５が設けられている。この振分けフラッパ１５は、紙幣計数部１０に設けられているガイド１１に対向して配置されている。このガイド１１に沿って、紙幣は、紙幣計数部１０からスタッカ２０ｃへ搬送され、またスタッカ２０ｃから紙幣計数部１０へ搬送される。
【００４２】
また、この振分けフラッパ１５で振り分けする搬送路の連結部位には、搬送ローラ１２が設けられ、この搬送ローラ１２に対向して従動ローラ１３が設けられている。搬送ローラ１２は、紙幣計数部１０の下方へ一部突出しており、その突出部分がスタッカ２０ｃの内部に侵入するように設置されている。
【００４３】
一方、スタッカ２０ｃには、前記ガイド１１に沿って紙幣を受け取りおよび送り出すガイド２１，２２（収納接続部および搬送接続部）が設けられている。このガイド２１とガイド２２は、対向して配置されており、いずれも先端部（突起）が上方へ突出して紙幣計数部１０に侵入するように設置される。このガイド２１とガイド２２は、図５（Ａ）の背面側から見たガイド１１部分の説明図に示すように、櫛歯状の突起部２１ｔ，２２ｔ（突起部２２ｔは図示省略）を有しており、紙幣計数部１０のガイド１１の櫛歯状の突起部１１ｔと互い違いに入れ子状に噛み合うように構成されている。このガイド２１，２２の間に搬送路が形成されており、この搬送路を通じて紙幣計数部１０への紙幣の繰り出しが行われ、また紙幣計数部１０から集積した紙幣の昇降台２８（図４参照）への収納が行われる。突起部１１ｔ，２１ｔ，２２ｔの突出長さは、ガイド２１，２２の間に形成される搬送路の高さ（搬送する紙幣の厚み方向の高さ）よりも長く形成されている。これにより、上下の突起部１１ｔ，２１ｔ，２２ｔが入れ子状に噛合った状態で紙幣を安定して双方向に搬送できるようにしている。
【００４４】
入金取引時、図４（Ａ）に示すように、紙幣計数部１０は、紙幣をガイド１１および振分けフラッパ１５に誘導し、搬送ローラ１２によってスタッカ２０ｃへ搬送する。スタッカ２０ｃは、進入した紙幣をスタッカ２０ｃ内のフィードローラ２５とピンチローラ２３およびゲートローラ２４によって搬送し、ガイド２７に沿って集積収納する。
【００４５】
出金時、スタッカ２０ｃは、紙幣Ａがピックアップローラ２６に到達する位置にまで昇降台２８を上昇移動し、ピックアップローラ２６によって紙幣をフィードローラ２５とゲートローラ２４の狭持点へ送り、一枚毎に分離繰出しする。スタッカ２０ｃは、ガイド２１、ガイド２２により紙幣を誘導し、紙幣計数部１０は、ガイド１１と振分けフラッパ１５を介して搬送される紙幣を受け取り、搬送ローラ１２によって受け取った紙幣を紙幣計数部１０内へ搬送する。
【００４６】
このように構成された退避機構Ｇにより、スタッカ２０を退避させることができる。すなわち、図３（Ａ）、図４（Ａ）、図５（Ａ）に示したように、スタッカ２０が紙幣計数部１０に接続されている状態では、昇降台３１に載置されているスタッカ２０が上昇状態にあり、図５（Ａ）に示したように櫛歯状のガイド１１とガイド２１とが互い違いに噛み合っている。
【００４７】
ここで、紙幣計数部１０の外装部１４の側方下端には、下方へ突出するガイド部としてのガイド突起６１が左右対称に設けられている。また、スタッカ２０の外装部２９の側方上端には、下方へ向けたガイド部としてのガイド孔６２が左右対称に設けられている。ガイド突起６１は、ガイド孔６２に挿通するようにガイド孔６２の孔サイズよりもわずかに細く形成されている。このガイド突起６１とガイド孔６２とのクリアランス（隙間）は、ガイド１１とガイド２１の櫛歯状の噛み合い部分のクリアランスよりも狭く構成されている。これにより、ガイド１１とガイド２１が衝突することなく一定の隙間を空けた状態で確実に噛み合い（上昇時）および離間（下降時）することを実現している。なお、ガイド突起６１をスタッカ２０に備え、ガイド孔６２を紙幣計数部１０に備える構成としても良い。
【００４８】
操作員により、紙幣処理装置１へトレイ３０の引き出しが指示されると、図３（Ａ）、図４（Ａ）、図５（Ａ）に示した状態から、動力部５０の図示されないモータの回転駆動が開始する。レバー３２ａと３２ｂは、トレイ３０の床面３０ｂに沿って回転し、昇降台３１を降下させ、図３（Ｂ）、図４（Ｂ）、図５（Ｂ）に示す状態となる。この昇降台３１の下降により、昇降台３１に搭載されたスタッカ２０ａ〜２０ｅも同時に下降し、紙幣計数部１０との間に空間Ｃが作られる。そして、ガイド２１がガイド１１から離間して退避した退避状態となり、スタッカ２０が前後方向へ移動可能な状態になる。
【００４９】
図６は、トレイ３０の引き出しを側面図により説明する説明図である。  
上述した退避状態となると、図６（Ａ）に示すように、トレイ３０を後方（退避方向と交差する方向）へ引き出すことができる。このとき、スタッカ２０は下降していてガイド１１とガイド２１が噛み合わずに離間した状態であるため、ガイド１１とガイド２１が接触して破損するといったことがない。
【００５０】
同様に、図６（Ｂ）に示すように、トレイ３０を前方へ引き出す構成としても、ガイド１１とガイド２１が噛み合わずに離間した状態であるため、破損することを防止できる。
【００５１】
このように、トレイ３０を引き出すことで、スタッカ２０を容易に着脱することができる。すなわち、紙幣計数部１０と搬送路１０ａ〜１０ｇは、紙幣処理装置１の上部にそのまま残っており、トレイ３０とスタッカ２０だけが引き出されるため、従来のようにトレイを引き出してから搬送路を退避させてようやくスタッカを着脱できるといった面倒な操作が必要なく、便利に操作することができる。
【００５２】
スタッカ２０のガイド２１，２２を紙幣計数部１０へ再度接続する時は、図示されないモータにより、ギヤ５１を下降時とは逆方向に回転させる。そして、ギヤ３６へ伝達された回転駆動により、レバー３２ａとレバー３２ｂがトレイ床面３０ｂを押し付けながら回転し、昇降台３１が上昇する。
【００５３】
昇降台３１の上昇により、再度図３（Ａ）、図４（Ａ）、図５（Ａ）に示した状態となり、スタッカ２０のガイド２１，２２と紙幣計数部１０のガイド１１との接続が完了する。
【００５４】
以上の構成および動作により、トレイ３０を引き出してから、同時に引き出された紙幣計数部１０の搬送路１０ａから１０ｄを退避操作するといった煩わしい操作を不要とし、操作性のよい紙幣処理装置１を提供することができる。
【００５５】
動力部５０は、昇降台３１を上下動させるため、複数のスタッカ２０を一括して上昇および下降でき、短時間に上昇／下降を完了することができる。  
また、この上下動によるガイド２１，２２の退避は、スタッカ２０と紙幣計数部１０との紙幣の受け渡し時の搬送方向（上下方向）に沿っており、この搬送方向への移動により実行するため、スタッカ２０と紙幣計数部１０の連結部が搬送方向と交差する方向へ位置ズレすることを防止できる。すなわち、トレイ３０を引き出した後に再度収納してスタッカ２０を上昇させた際に、搬送路の接続がずれるといったことを防止できる。
【００５６】
仮にスタッカ２０を上下動させずにトレイ３０を引き出せる構成にすると、トレイ３０を収納する際に少しでも左右にずれればスタッカ２０の突起部２１ｔ，２２ｔと紙幣計数部１０の突起部１１ｔが接触して破損することになるが、スタッカ２０を下降させて退避状態としてからトレイ３０の引き出し及び収納を実行するため、このような破損を防止できる。
【００５７】
ガイド突起６１とガイド孔６２のクリアランスをガイド１１とガイド２１，２２のクリアランスよりも狭くなるように形成したため、スタッカ２０の上下動（接続／退避）を精度よく実行でき、上下動時にガイド１１とガイド２１，２２が衝突して破損することを防止できる。
【００５８】
スタッカ２０を下降させた退避状態は、ガイド１１とガイド２１，２２が完全に離間した状態としたため、トレイ３０を引き出し操作および収納操作する際に、ガイド１１とガイド２１，２２が衝突して破損することを防止できる。
【００５９】
また、紙幣計数部１０とスタッカ２０との紙幣の受け渡し部は、櫛歯状のガイド１１とガイド２１，２２を設けて互い違いに入れ子状に配置したため、紙幣の受け渡しを双方向に安定して実行することができる。
【００６０】
また、スタッカ２０の紙葉類の受け渡し用のガイド２１，２２が櫛歯状の入れ子形態、もしくは隣り合う処理部の構成部品が互いの内部に侵入する構成であっても、スタッカ２０を下降することで紙幣計数部１０と干渉することなくトレイ３０を引き出すことが可能となり、従来のようなスタッカの上部搬送路を廃止してスタッカ着脱の操作が容易となる。
【００６１】
また、スタッカ２０と紙幣計数部１０との間での紙幣受け渡し時の座屈滞留の防止とスタッカ２０の着脱作業の簡略化を両立することができる。
【００６２】
なお、上下移動する昇降台３１の位置は、図示しないセンサー等を用いて検知し制御しても良い。  
また、トレイ３０には、レバー３２ａとレバー３２ｂの回転を一時的に固定する機構を設けても良い。
【００６３】
また、レバー３２は２個以上備えても良い。  
また、昇降台３１とトレイ３０には、昇降台３１の動作を規制するガイドを設けても良い。
【実施例２】
【００６４】
次に、スタッカ２０毎に上下動するための駆動部を備えた実施例２について説明する。  
図７は、紙幣計数部１０とスタッカ２０の搬送路を接続するガイドの退避機構Ｇを説明する説明図である。図７（Ａ）は、スタッカ２０を上昇位置に保持してガイドが接続されている接続状態を示し、図７（Ｂ）は、スタッカ２０を下降位置に保持してガイドが離間した退避状態を示す。
【００６５】
各スタッカ２０（２０ａ〜２０ｅ）の底部には、軸８２（８２ａ〜８２ｅ）を備え、該軸８２を中心に回転することができるレバー８１（８１ａ〜８１ｅ）を軸８２に備えている。レバー８１は、スタッカ２０に内蔵された図示されない動力装置により回転駆動することができる。
【００６６】
図７（Ａ）に示すように、レバー８１が垂直状態で軸８２より下方が長い状態から、レバー８１が図示時計周り方向に回転することで、図７（Ｂ）に示すようにレバー８１がスタッカ２０の内部に格納されて水平状態になり、スタッカ２０が下降する。
【００６７】
スタッカ２０の下降により、紙幣計数部１０とスタッカ２０上部との間に空間Ｃを設けることができ、ガイド１１とガイド２１，２２（実施例１参照）を離間させることができる。
【００６８】
紙幣計数部１０とスタッカ２０を再度接続する時は、図示されない動力装置によりレバー８１を下降時とは逆方向に回転させる。レバー８１がトレイ床面３０ｂを押し付けながら回転することでスタッカ２０が上昇し、スタッカ２０のガイド２１，２２と紙幣計数部１０のガイド１１との接続が完了する。
【００６９】
その他の構成および動作は、実施例１と同一であるため、その詳細な説明を省略する。  
この実施例２の場合も、実施例１と同一の効果を奏することができる。
【００７０】
なお、各スタッカ２０を順番に昇降させるなど個別に上下動させる構成にしてもよいが、全てのスタッカ２０を一括して同時に昇降させる構成とすることで、昇降に要する時間を短縮することができる。
【実施例３】
【００７１】
次に、スタッカ２０を上下動させずにガイドのみ駆動する実施例３について説明する。  
図８は、紙幣計数部１０とスタッカ２０の連結部分を拡大した側面図によりガイドの退避機構Ｇを説明する説明図である。
【００７２】
スタッカ２０には、紙幣計数部１０の搬送路との接続部位にガイド２１ａ，２２ａを有しており、このガイド２１ａ，２２ａは、搬送路の幅方向外側で繋がるように一体に形成されており、軸２２ｂにより上下動可能に設けられている。すなわち、ガイド２１ａ，２２ａは、軸２２ｂによってガイドされ、紙幣の搬送方向である上下方向へ一直線に移動する。
【００７３】
スタッカ２０をトレイ３０に装填した時点では、ガイド２２ａとガイド２１ａは、図８（Ａ）に示す下降位置（退避状態）にあり、紙幣計数部１０のガイド１１と振分けフラッパ１５とは入れ子の位置関係から退避している状態である。この状態のとき、トレイ３０を自由に引き出すことでスタッカ２０を引き出すことができる。
【００７４】
ガイド２２ａとガイド２１ａは、スタッカ２０に内蔵された図示されない動力装置により、上昇移動する。これにより、図８（Ｂ）に示す上昇位置（接続状態）に到達することができ、紙幣計数部１０のガイド１１と振分けフラッパ１５と入れ子の状態とすることができ、紙幣を安定して搬送することができる。
【００７５】
その他の構成および動作は、実施例１と同一であるため、その詳細な説明を省略する。  
この実施例３の場合も、実施例１と同一の効果を奏することができる。
【００７６】
この発明は、上述の実施形態の構成のみに限定されるものではなく、多くの実施の形態を得ることができる。
【産業上の利用可能性】
【００７７】
この発明は、紙幣を処理する紙幣処理装置に利用することができ、他にもカード、紙、または印刷された紙を処理する装置に利用することもできる。
【符号の説明】
【００７８】
１…紙幣処理装置、１０…紙幣計数部、１０ａ〜１０ｅ…搬送路、２０…スタッカ、２１，２２…ガイド、３０…トレイ、４０…接客機構部、６１…ガイド突起、６２…ガイド孔、Ｇ…退避機構
【図１】
2010250572.tif 000003
【図２】
2010250572.tif 000004
【図３】
2010250572.tif 000005
【図４】
2010250572.tif 000006
【図５】
2010250572.tif 000007
【図６】
2010250572.tif 000008
【図７】
2010250572.tif 000009
【図８】
2010250572.tif 000010